(57)【要約】【課題】  キャビネットの収納部内にボトルを斜めに立てて収納する形式のボトルラックにおいて、ボトルの傾斜角度を、簡単、迅速に変更調整でき、ボトルのサイズや形が異なる場合でも、ボトルを掴み易く、取り出し易くでき、また簡単な構造でボトルの重量を分散して支持できるようにし、軽量化や低コスト化を可能にする。【解決手段】  キャビネット１の収納部１ａ内の所定位置に引っ掛けて取り付ける取付部材２と、この取付部材２と協働してボトル３を頭を上にした状態で傾斜状に受けるボトル受け部材４とで形成する。取付部材２が、ボトル３の上部を支持する支持部２１と、この支持部２１の下方に設けてボトル受け部材４の上端のフック部４ｃを引っ掛ける引っ掛け部２２とを備える。引っ掛け部２２を、上下方向にわたって多段状に複数形成する。【選択図】      図１
2008302048.tif 000002
【特許請求の範囲】
【請求項１】
金属の線条材で形成されるボトルラックであって、キャビネットの収納部内の所定位置に引っ掛けて取り付けられる取付部材と、この取付部材と協働してボトルを頭を上にした状態で傾斜状に受けるボトル受け部材とで形成され、上記の取付部材が、ボトルの上部を支持する支持部と、この支持部の下方に設けられてボトル受け部材の上端のフック部が引っ掛けられる引っ掛け部とを備えて形成され、この引っ掛け部が、上下方向にわたって多段状に複数形成されていることを特徴とするボトルラック。
【請求項２】
請求項１記載のボトルラックであって、取付部材のフック状の取付箇所の下向き端部と、この端部の下方でキャビネットの収納部内の垂直面に当接する当接端部とが、軟質材で被覆されていることを特徴とするボトルラック。
【請求項３】
請求項１又は２記載のボトルラックであって、取付部材の支持部が、凹湾曲状に形成されると共に、ボトルを保護するための軟質性保護材で被覆されていることを特徴とするボトルラック。
【請求項４】
請求項１乃至３の何れかに記載のボトルラックであって、１本の金属の線条材が曲げられて平行状の直線部が形成され、この平行状の直線部の折り曲げ側が所定角度屈曲されてボトルの底を受けるための舌片状の底受け部に形成され、平行状の直線部の両開放端がフック状に折り曲げられて取付部材の引っ掛け部に引っ掛けるためのフック部に形成されることにより、ボトル受け部材が形作られていることを特徴とするボトルラック。
【発明の詳細な説明】
【技術分野】
【０００１】
本発明はボトルラックに関し、更に詳しくは例えば流し台の引き出し内に取り付けて酒や調味料等のボトルを斜めに立てた状態で収納保持できるよう形成したボトルラックに関するものである。
【背景技術】
【０００２】
従来この種のボトルラックとしては、例えばラック本体が平底舟形に形成され、その先端と後端に、キャビネット内の前後の横枠に掛止させるための掛止部が形成され、キャビネット内に先端上がりに傾斜した状態で取付可能になるよう形成されているものがある（例えば特許文献１参照）。
【０００３】
ところでこの種のラックは、使い勝手を良くするため、ボトルの大きさや形状の違いに応じて傾斜角度を簡単、迅速に変更調節でき、また軽量化や低廉化を図ることができるよう形成されているのが望ましい。
しかるに特許文献１に記載の従来品は、キャビネット内の前後の横枠の高さを変更してラック本体を掛止させ、ラック本体にボトルを載せて収納する構造であった。
従って従来品の場合は、ラック本体の角度調節に手間暇がかかり、ボトルの頭や首部を掴み難く、またボトルの重量が本体や掛止部に直接加わるため、強度を高くする必要があり、頑丈で重く大きくなるのを避けられない、という問題点があった。
【特許文献１】特開平９−２３８７６１号公報
【発明の開示】
【発明が解決しようとする課題】
【０００４】
本発明は、このような従来の実情に鑑み、提案されたものである。
従って本発明の解決しようとする技術的課題は、キャビネットの収納部内にボトルを斜めに立てて収納する形式のボトルラックにおいて、ボトルの傾斜角度を、簡単、迅速に変更調整でき、ボトルのサイズや形が異なる場合でも、ボトルを掴み易く、取り出し易くでき、また軽量化や低コスト化が可能になるよう、簡単な構造でボトルの重量を分散して支持できるよう形成したボトルラックを提供することにある。
【課題を解決するための手段】
【０００５】
本発明は、上記の課題を解決するため、次のような技術的手段を採る。
即ち本発明は、図１等に示されるように、金属の線条材で形成されるボトルラックであって、キャビネット１の収納部１ａ内の所定位置に引っ掛けて取り付けられる取付部材２と、この取付部材２と協働してボトル３を頭を上にした状態で傾斜状に受けるボトル受け部材４とで形成され、上記の取付部材２が、ボトル３の上部を支持する支持部２１と、この支持部２１の下方に設けられてボトル受け部材４の上端のフック部４ｃが引っ掛けられる引っ掛け部２２とを備えて形成され、この引っ掛け部２２が、上下方向にわたって多段状に複数形成されていることを特徴とする（請求項１）。
【０００６】
本発明品は、例えば流し台や戸棚などのキャビネット１の収納部１ａ内に取り付けて使用するものである。取付部材２やボトル受け部材４のデザインは、任意である。取付部材２の支持部２１は、通常はボトル３の首部を支持するが、首部の直下の胴部の上側位置を支持するのでも良い。
【０００７】
而して本発明品は、取付部材２のフック状の取付箇所２ａの下向き端部２ｂと、この端部２ｂの下方でキャビネット１の収納部１ａ内の垂直面１ｂに当接する当接端部２ｃとが、軟質材で被覆されているのが好ましい（請求項２）。
なぜならこれによると、取付部材２を収納部１ａ内に取り付けると、軟質材が収納部１ａとの接触箇所に密着して滑りを防止でき、取付部材２の取付姿勢を安定化できるからである。ここで、軟質材としては、例えばシリコンゴム等のゴム材や軟質性の樹脂材がある。
【０００８】
また本発明は、図２等に示されるように、取付部材２の支持部２１が、凹湾曲状に形成されると共に、ボトル３を保護するための軟質性保護材６で被覆されているのが好ましい（請求項３）。
なぜならこれによると、ボトル３の首部等の曲面と、面接触、線接触する割合が高くなって安定して支持でき、また保護材６によってボトル３の表面を傷付けることを防止できるからである。この場合本発明品は、支持部２１が、例えばビール瓶や一升瓶などの首部とピッタリ係合するよう、瓶の首部等の曲率に合わせて湾曲形成され、ボトル３毎の専用品として形成されているのでも良い。ここで、軟質性保護材６としては、例えばシリコンゴム等のゴム材や軟質性の樹脂材などでチューブ状等に形成されているものがある。なお本発明の場合、保護材６は、支持部２１の全周に施される場合には限られず、ボトル３と接触する部分だけに施されているのでも良い。
【０００９】
更に本発明の場合、ボトル受け部材４は、図２、図４等に示されるように、１本の金属の線条材が曲げられて平行状の直線部４ａが形成され、この平行状の直線部４ａの折り曲げ側が所定角度屈曲されてボトル３の底を受けるための舌片状の底受け部４ｂに形成され、平行状の直線部４ａの両開放端がフック状に折り曲げられて取付部材２の引っ掛け部２２に引っ掛けるためのフック部４ｃに形成されることにより形作られているのが好ましい（請求項４）。
なぜならこれによると、ボトル受け部材４を、１本の線条材を折り曲げる、という簡単な操作で、より軽量に、低コストに形成できるからである。またこれによると、ボトル３の湾曲状の外周面等が平行状の直線部４ａに接触するため、ボトル３の太さに多少差があっても、ボトル３を左右に転動させたり、がたつかせることなく、安定的に支持できるからである。またこの場合は、ボトル受け部材４の引っ掛け位置を変えると、底受け部４ｂの角度が変わり、ボトル３の底との接触位置が変わるため、ボトル３を取り出し易い高さに調節することが容易になるからである。なおここで、所定角度とは、本発明品にセットするボトル３のずれ落ちを防止できる範囲の角度を意味し、具体的には舌片状の底受け部４ｂを、９０度、若しくは９０度前後の角度に屈曲することを意味する。
【発明の効果】
【００１０】
本発明は、このように取付部材とボトル受け部材との２つのパーツで形成し、ボトル受け部材を取付部材の引っ掛け部に引っ掛け直すことで、ボトルの傾斜角度を調節可能に形成しているものである。
従って本発明は、スペースに制限のある収納部内にボトルを傾斜状に立てて収納できるだけではなく、これによれば、ボトル受け部材を取付部材の引っ掛け部に引っ掛け直す、という簡単な操作で、サイズや形が異なるボトルを、取り出し易い高さに、容易に且つ迅速に収納できるものである。
また本発明品は、金属の線条材で、且つ２つのパーツで構成され、ボトルは取付部材の支持部に首部等が支持され、ボトル受け部でボトルがずれ落ちないよう受け止められ、取付部材とボトル受け部材でボトルの重量を分散して支持しているものである。
従ってこれによれば、金属の線条材が細いものでも使用でき、材質の軽減化や構造の簡素化を図ることができ、その分、軽量化や低廉化が可能になる。
また本発明品は、このように軽量化が可能になるため、収納部が引き出しのように動く場合でも、引き出しの進退操作に大きな力を必要とすることなく利用でき、従って使い勝手が良くなるものである。
【発明を実施するための最良の形態】
【００１１】
以下、本発明を実施するための最良の形態を説明する。
本発明品は、図１等に示されるように、金属の線条材で形成されるボトルラックであり、キャビネット１の収納部１ａ内の所定位置に引っ掛けて取り付けられる取付部材２と、この取付部材２と協働してボトル３を頭を上にした状態で傾斜状に受けるボトル受け部材４とで形成されている。キャビネット１は、この実施形態の場合、流し台である。取付部材２は、流し台の収納部１ａとしての引き出しの前板裏側に設けられている金具５の溝５ａ内にフック状の取付箇所２ａが係合されて引っ掛けられている。金具５は、流し台の前側の下部に足先を入れるためのフットスペースＳを形作り、下側を取っ手化すると共に、溝５ａ内を小物の収納箇所に使用するためのものである。
【００１２】
而して上記の取付部材２は、ボトル３の、例えば首部等の上部を支持する支持部２１と、この支持部２１の下方に設けられてボトル受け部材４の上端のフック部４ｃが引っ掛けられる引っ掛け部２２とを備えて形成されている。この引っ掛け部２２は、上下方向にわたって多段状に、この実施形態では４本形成されている。
【００１３】
またこの実施形態の本発明品は、取付部材２のフック状の取付箇所２ａの下向き端部２ｂと、この端部２ｂの下方でキャビネット１の収納部１ａ内の垂直面１ｂに当接する当接端部２ｃとが、軟質材としてのゴム材で被覆されている。取付部材２は、１本の金属の線条材が円弧状に曲げられると共に、一端が下向きに屈曲されてフック状の取付箇所２ａに形作られ、他端が当接端部２ｃに形成されている。またこの実施形態では、１本の金属の線条材が門形に曲げられ、上辺の横棒２ｄが凹湾曲されて支持部２１に形成され、左右一対の縦棒２ｅの間に、金属の線条材製の引っ掛け部２２が、一定の間隔を縦方向にあけて横架されている。そして円弧状に曲げられ、上部がフック状の取付箇所２ａに形成された線条材が、門形に曲げられた線条材の縦棒２ｅの内側に接して引っ掛け部２２の左右側の位置に、左右対称状に固着されている。従ってこの実施形態の取付部材２は、支持部２１と、引っ掛け部２２と、左右一対のフック状の取付箇所２ａとを備え、左右一対の取付箇所２ａにより、バランス良く、安定した姿勢で引っ掛けることができるよう形成されている。
【００１４】
また凹湾曲状の支持部２１は、この実施形態ではボトル３の表面を傷付けることがないよう軟質性の保護材６で被覆されている。軟質性の保護材６は、この実施形態ではゴムチューブで形成され、支持部２１を形作る横棒２ｄに、ボトル３の首部等を幅広く支持できるよう、比較的緩い湾曲率で横方向に長く嵌め挿されている。
【００１５】
また上記のボトル受け部材４は、この実施形態では１本の金属の線条材を曲げ加工することにより形成されている。即ち、ボトル受け部材４は、図２、図４等に示されるように、１本の金属の線条材が曲げられて平行状の直線部４ａが形成され、この平行状の直線部４ａの折り曲げ側が、例えば９０度屈曲されてボトル３の底を受けるための舌片状の底受け部４ｂに形成され、平行状の直線部４ａの両開放端がフック状に折り曲げられて取付部材２の引っ掛け部２２に引っ掛けるためのフック部４ｃに形成されることにより形作られている。
なお４ｄは、直線部４ａが開かないよう直線部４ａの間隔を固定するための連結材である。この連結材４ｄは、この実施形態では金属の線条材で形成され、直線部４ａと底受け部４ｂとの境の内側位置に、両端が夫々接続されている。
【００１６】
次に本発明品の使用例を説明する。
先ず使用者は、取付部材２のフック状の取付箇所２ａを、収納部１ａとしての引き出しの金具５の溝５ａに引っ掛け、当接端部２ｃを収納部１ａの垂直面１ｂに当て、取付部材２を収納部１ａに取り付ける。
【００１７】
次に使用者は、図２に示されるように、取付部材２の任意の位置の引っ掛け部２２に、ボトル受け部材４の上端のフック部４ｃを引っ掛ける。これにより収納部１ａとしての引き出しの中に、本発明品がセットされる。この場合本発明品は、ボトル３を横並び状に複数収納できるよう、収納部１ａ内に並列状に複数セットされるのが良い。
【００１８】
次に使用者は、この状態でボトル受け部材４の直線部４ａにボトル３の下端の外周縁を係合させ、ボトル３の底を底受け部４ｂにあてがい、またボトル３の首部を取付部材２の支持部２１にあてがってボトル３を本発明品にセットする。本発明品は、図５に示されるように、ボトル３の形やサイズに合わせ、ボトル３を最も取り出し易い高さに収納できるよう、ボトル受け部材４を引っ掛け部２２に引っ掛け直して使用する。
【００１９】
同図において、ボトル３Ａは、ボトル受け部材４が最上段の引っ掛け部２２に引っ掛けられ、ボトル３Ｂは、ボトル受け部材４が最下段の引っ掛け部２２に引っ掛けられている例である。この例の場合、ボトル３Ａは、胴部の外周面が直線部４ａに係合されている。このように本発明の場合、ボトル３とボトル受け部材４との接触状態は、ボトル３の形状やボトル受け部材４の引っ掛け位置により変わるものである。
【００２０】
以上の処において、本発明品は、取付部材２の支持部２１が、図６に示されるように、横棒２ｄに、この横棒２ｄの長手方向にわたって複数形成され、引っ掛け部２２が横棒２ｄの長さに合わせて長く形成されているのでも良い。この場合、ボトル受け部材４は、支持部２１の個数に合わせて複数揃えられる。
本発明品が、このように形成される場合は、１個の取付部材２で複数のボトル３を、支持、収納することができ、取付部材２の引っ掛け操作を１回で済ませることができるから、取付部材２の引っ掛け操作の煩わしさを軽減できる。またこの場合は、取付部材２を横並び状に複数取り付ける場合より、縦棒２ｅの本数が減るため、その分、キャビネット１の収納部１ａに余裕を持って取り付けることができる。
【００２１】
また本発明は、図７に示されるように、取付部材２の支持部２１が、Ｖ字形に凹まれて形成されているのでも良く、支持部２１の形状は任意である。図８の実施形態は、このようなＶ字形の支持部２１を、横棒２ｄに、この横棒２ｄの長手方向にわたって複数形成した例である。支持部２１が、Ｖ字形に形成される場合は、例えばボトル３が角形の場合、この種のボトル３の支持を安定化できる、という利点がある。
【００２２】
また本発明は、取付部材２の両側の取付箇所２ａの間に、適当な板材が架け渡されて取り付けられているのでも良い。この場合は、取付部材２をキャビネット１の収納部１ａの所定位置に引っ掛けた後、この板材を介して取付部材２を収納部１ａにネジ止めして強固に固定することができる。
【図面の簡単な説明】
【００２３】
【図１】本発明のボトルラックの好適な一実施形態を示す使用状態時の断面図である。
【図２】同上ボトルラックの使用例を説明するための分解斜視図である。
【図３】Ａは取付部材の正面図、Ｂは左側面図である。
【図４】Ａはボトル受け部材の正面図、Ｂは左側面図である。
【図５】同上ボトルラックの使用例を説明するための要部側面図である。
【図６】取付部材の他の実施形態を示す斜視図である。
【図７】取付部材の他の実施形態を示す斜視図である。
【図８】取付部材の更に他の実施形態を示す斜視図である。
【符号の説明】
【００２４】
１      キャビネット
１ａ    収納部
２      取付部材
２１    支持部
２２    引っ掛け部
３      ボトル
４      ボトル受け部材
４ｃ    フック部
【図１】
2008302048.tif 000003
【図２】
2008302048.tif 000004
【図３】
2008302048.tif 000005
【図４】
2008302048.tif 000006
【図５】
2008302048.tif 000007
【図６】
2008302048.tif 000008
【図７】
2008302048.tif 000009
【図８】
2008302048.tif 000010